(57)【特許請求の範囲】
【請求項１】
テレビカメラ装置のリモコン装置であって、
複数の操作ユニットに分離可能であって、かつ、前記操作ユニットを単独または複数組み合わせて使用可能であり、
前記複数の操作ユニットは、各々四方に接続可能とした操作ユニットであって、
前記操作ユニットのうちのいずれか１つは、カメラコントロールユニットと制御データを送受信する出力コネクタを備えたことを特徴とするリモコン装置。
【請求項２】
前記操作ユニットは、別の操作ユニットと接続する拡張コネクタと、
前記テレビカメラ装置を制御するコントロールユニットに接続される入出力コネクタと、
を備えることを特徴とする請求項１に記載のリモコン装置。
【請求項３】
前記操作ユニットが複数組み合わされた場合に、マスターとして機能する前記操作ユニットを判別するマスター機判別部を備えることを特徴とする請求項１または２に記載のリモコン装置。
【発明の詳細な説明】
【技術分野】
【０００１】
本発明は、リモコン装置（リモートコントロールユニット）に係り、例えば、テレビカメラ装置のリモコン装置に関する。
【背景技術】
【０００２】
従来より、テレビ制作においては、スタジオ等に配置された複数のテレビカメラを調整室側の制御装置により遠隔制御して映像信号やカメラヘッドの設定状態を調整し番組が制作されている（例えば、特許文献１参照）。
【０００３】
図１０は、そのようなテレビカメラ装置１１０の運用形態例を示している。撮影スタジオ（カメラマン側）１０１に、カメラマンが撮影するテレビカメラ装置１１０が配置されている。テレビカメラ装置１１０は、テレビカメラ１０４と、レンズ１０２と、ビューファインダー１０３で構成される。テレビカメラ１０４で撮影された映像は、光ケーブル１０５により、調整室１０６にあるカメラコントロールユニット１０７に伝送され、モニター１０８に出力される。また、テレビカメラ１０４やカメラコントロールユニット１０７の映像は、制御ケーブル１０９に接続されたリモートコントロールユニット１５０で、各色調整や設定などを行う。
【０００４】
ところで、近年では、映像が４Ｋ、８Ｋと高解像度になるにつれ、カメラマンが、ビューファインダー１０３の撮影映像を見てフォーカスを調整することが困難となってきている。そのため、調整室１０６から、フォーカスコントローラー１１２を用い、フォーカス制御ケーブル１１１、カメラコントロールユニット１０７、光ケーブル１０５、テレビカメラ１０４を介し、レンズ１０２のフォーカスを制御することがある。この場合、通常のテレビカメラ装置１１０の制御リモコン（リモートコントロールユニット１５０）とは別に専用コントローラーが必要となり、別途接続インターフェースが利用されている。
【先行技術文献】
【特許文献】
【０００５】
【特許文献１】特開２００９−２７４１５号公報
【発明の開示】
【発明が解決しようとする課題】
【０００６】
上述のように、テレビカメラ装置の制御リモコンは、一定の決まった形態を有しているため、固定の操作部（スイッチ、メニュー（液晶パネル）、ボリュームなど）からの制御しかできなかった。また、テレビカメラ装置の制御リモコンは、引き出しラックに収めて運用することもあり、引き出したラックの手前に、使用頻度の高い機能を割り振りたいなどの要求もある。
【０００７】
本発明は、このような状況に鑑みなされたもので、上記課題を解決することを目的とする。
【課題を解決するための手段】
【０００８】
本発明は、テレビカメラ装置のリモコン装置であって、複数の操作ユニットに分離可能であって、かつ、前記操作ユニットを単独または複数組み合わせて使用可能であり、前記複数の操作ユニットは、各々四方に接続可能とした操作ユニットであって、前記操作ユニットのうちのいずれか１つは、カメラコントロールユニットと制御データを送受信する出力コネクタを備える。
また、前記操作ユニットは、別の操作ユニットと接続する拡張コネクタと、前記テレビカメラ装置を制御するコントロールユニットに接続される入出力コネクタと、を備えてもよい。
また、前記操作ユニットが複数組み合わされた場合に、マスターとして機能する前記操作ユニットを判別するマスター機判別部を備えてもよい。
【発明の効果】
【０００９】
本発明によると、テレビカメラ装置の制御リモコン（リモコン装置）を、複数の操作部に分離可能であって、それらを組み合わせて用いることができるため、ユーザーの利便性を向上させることができる。
【図面の簡単な説明】
【００１０】
【図１】第１の実施形態に係る、テレビカメラ装置の運用形態例示した図である。
【図２】第１の実施形態に係る、リモートコントロールユニットを一般的な例と比較して示した図である。
【図３】第１の実施形態に係る、リモートコントロールユニットの分離・組み合わせ例を示した図である。
【図４】第１の実施形態に係る、一般的なリモートコントロールユニットを引き出しラックに収めて使用する例を示した図である。
【図５】第１の実施形態に係る、提案するリモートコントロールユニットを引き出しラックに収めて使用する例を示した図である。
【図６】第１の実施形態に係る、上段側に左右に配置された２つのスイッチ部と下段側に左右に配置された２つのボリューム部を組み合わせて用いる例を示した図である。
【図７】第１の実施形態に係る、第１〜第４ユニットの制御ブロックを示した図である。
【図８】第１の実施形態に係る、制御ナンバーの設定及び管理処理を説明する図である。
【図９】第１の実施形態に係る、制御ナンバーの設定及び管理処理を説明する図である。
【図１０】背景技術に係る、テレビカメラ装置の運用形態例示した図である。
【図１１】第２の実施形態に係る、一般的に行われているリモートコントロールユニットの調整メニューおよび調整項目による映像信号の調整の運用形態の表示例を示した図である。
【図１２】第２の実施形態に係る、テレビカメラ装置の運用形態例示した図である。
【図１３】第２の実施形態に係る、リモートコントロールユニットの調整メニューおよび調整項目による映像信号の調整の運用形態の表示例を示した図である。
【図１４】第２の実施形態に係る、トップメニューの"ＳＥＡＲＣＨ  ＭＥＮＵ"での調整項目を検索する具体例を示した図である。
【図１５】第２の実施形態に係る、トップメニューの"ＳＥＡＲＣＨ  ＭＥＮＵ"での調整項目を検索する具体例を示した図である。
【発明を実施するための形態】
【００１１】
次に、本発明を実施するための形態（以下、単に「実施形態」という）を、図面を参照して具体的に説明する。
【００１２】
＜第１の実施形態＞
本実施形態では、テレビビデオ装置のリモートコントロールユニットを、複数の操作部に分離可能とし、かつ入出力コネクタや拡張コネクタを用いてリモートコントロールユニット５０の形態を自由に変更可能としている。
【００１３】
図１は、本実施形態に係るテレビカメラ装置１０の運用形態例を示す図である。撮影スタジオ１、すなわち、カメラマン側にはテレビカメラ装置１０が配置されている。ビデオエンジニア側となる調整室６には、カメラコントロールユニット７、それに接続されているモニター８、及びリモートコントロールユニット５０が配置されている。図１０で示したフォーカスコントローラー１１２の機能は、後述する構成によって、リモートコントロールユニット５０に割り振るカスタマイズがなされる。
【００１４】
テレビカメラ装置１０は、テレビカメラ４と、レンズ２と、ビューファインダー３とを備える。
【００１５】
カメラコントロールユニット７は、光ケーブル５によりテレビカメラ４と接続されている。リモートコントロールユニット５０は、制御ケーブル９によりカメラコントロールユニット７と接続されている。
【００１６】
カメラマンは、ビューファインダー３を用いて撮影映像を確認する。テレビカメラ４で撮影された映像は、光ケーブル５により、調整室６にあるカメラコントロールユニット７に伝送され、モニター８に出力される。
【００１７】
テレビカメラ４やカメラコントロールユニット７の映像に関しては、制御ケーブル９に接続されたリモートコントロールユニット５０を用いて、各色調整や設定などが行われる。
【００１８】
映像が高解像度になるにつれ、カメラマンが、ビューファインダー３の撮影映像を見てテレビカメラ４のフォーカスを適切に調整することが困難となる。そのため、必要に応じて、調整室６からビデオエンジニアが、リモートコントロールユニット５０に割り振られたフォーカスコントロール機能を用い、カメラコントロールユニット７、光ケーブル５、テレビカメラ４を介し、レンズ２のフォーカスを制御する。
【００１９】
図２は、本実施形態で導入するリモートコントロールユニット５０と一般的なリモートコントロールユニット１５０とを比較して示している。一般に、フォーカスコントローラー１１２（図１０参照）は、専用のインターフェースが必要となる。そこで、図２に示すように、所定の機能が割り当てられた複数のユニット、ここでは、３つのユニットに分離可能なリモートコントロールユニット５０を導入する。
【００２０】
このリモートコントロールユニット５０は、スイッチ部５１、液晶パネル部５２及びボリューム部５３の３つのユニットに分離可能に構成されている。分離されたスイッチ部５１、液晶パネル部５２及びボリューム部５３は、それぞれ単独でも機能するととともに、複数を自由に一体に組み合わせて機能させることも可能となっている。
【００２１】
図３は、リモートコントロールユニット５０の分離・組み合わせ例を示している。図３（ａ）はボリューム部５３を単独で用いる例を示している。図３（ｂ）は、液晶パネル部５２とボリューム部５３とを組み合わせて用いる例を示している。図３（ｃ）は、スイッチ部５１とボリューム部５３とを組み合わせて用いる例を示している。図３（ｄ）は、スイッチ部５１、液晶パネル部５２及びボリューム部５３を組み合わせて従来のリモートコントロールユニット１５０と同様のレイアウトで用いる例を示している。図３（ｅ）は、スイッチ部５１、液晶パネル部５２及びボリューム部５３を組み合わせて、また図３（ｄ）のレイアウトを一部変更し一番上に配置されていたスイッチ部５１を一番下側に配置した例を示している。図３（ｆ）は、スイッチ部５１、液晶パネル部５２及び２つのボリューム部５３ａ、５３ｂを組み合わせて用いる例を示している。図３（ｇ）は、２つのスイッチ部５１ａ、５１ｂと２つのボリューム部５３ａ、５３ｂを組み合わせて用いる例を示している。ここでは、スイッチ部５１ａ、５１ｂが上段で左右に配置され、ボリューム部５３ａ、５３ｂが下段で左右に配置されている。
【００２２】
例えば、図３（ｆ）では、図３（ｄ）の構成に対し、ボリューム部５３ｂを追加した構成となっている。この追加したボリューム部５３ｂにレンズ２のフォーカスを制御する機能を割り付けることで、図１０のフォーカスコントローラー１１２のインターフェースとして機能させることができる。すなわち、フォーカスコントローラー１１２を制御する専用の制御インターフェースが不要となり、その機能をリモートコントロールユニット５０に割り付けることができる。
【００２３】
つぎに、リモートコントロールユニット５０を引き出しラック９９に収めた場合の使用例について説明する。図４は一般的なリモートコントロールユニット１５０を引き出しラック９９に収めて使用する例を示している。作業者（ＶＥ）の使用頻度の高い部分は、スイッチ部の機能部分１５０Ｘであるものと想定する。図４（ａ）に示す様に、リモートコントロールユニット１５０のスイッチ部の機能部分１５０Ｘが上側に配置されており、その状態で引き出しラック９９に収められる。そして、図４（ｂ）に示すように、引き出し９８を手前（図では下側）に僅かに引き出した初期の状態では、スイッチ部の機能部分１５０Ｘは引き出しラック９９の内部にあり、操作出来ない状態である。スイッチ部を操作するには、図４（ｃ）に示すように、引き出し９８を全て引き出さなければならない。
【００２４】
図５は、本実施形態で提案するリモートコントロールユニット５０を引き出しラック９９に収めて使用する例を示している。図５（ａ）は比較対象である一般的なリモートコントロールユニット１５０を示している。図５（ｂ）は本実施形態で導入するリモートコントロールユニット５０を示している。図５（ｃ）はリモートコントロールユニット５０が引き出しラック９９に収容された状態を示している。図５（ｄ）は引き出し９８が一部引き出されスイッチ部５１が露出した状態を示している。図５（ｂ）に示す様に、ここでは使用頻度が高いスイッチ部５１が一番手前側（図では下側）に配置されるようにレイアウトが変更されている。この場合、スイッチ部５１が最下部に移動していることにより、図５（ｄ）の様に引き出し９８をスイッチ部５１の範囲のみ引き出せば、制御や状態の確認が可能となる。
【００２５】
つづいて、図６〜図８を参照して、上述の各操作部（スイッチ部５１、液晶パネル部５２、ボリューム部５３）の組み合わせを実現するための具体的な構成について説明する。図６は、図３（ｇ）で示したものと同様に、上段側に左右に配置された２つのスイッチ部５１ａ、５１ｂと、下段側に左右に配置された２つのボリューム部５３ａ、５３ｂを組み合わせて用いる例を示している。
【００２６】
ここでは、図６（ａ）に示す様に、スイッチ部５１ａ、５１ｂが上段で左右に配置され、ボリューム部５３ａ、５３ｂが下段で左右に配置されている。図６（ｂ）に、４つのユニット（スイッチ部５１ａ、５１ｂ及びボリューム部５３ａ、５３ｂ）の内部接続態様、特に接続・連系に関する共通する機能に着目して示している。すなわち、そのような機能について説明する場合は、図示のように、上段左側のスイッチ部５１ａを第１ユニット５０Ｕ１、上段右側のスイッチ部５１ｂを第２ユニット５０Ｕ２、下段左側のボリューム部５３ａを第３ユニット５０Ｕ３、下段右側のボリューム部５３ｂを第４ユニット５０Ｕ４と一般化して示す。すなわち、第１〜第４ユニット５０Ｕ１〜Ｕ４として、ユーザーの選択によって、スイッチ部５１、液晶パネル部５２、ボリューム部５３のいずれかのユニットが対応することになる。
【００２７】
各操作部に対応する第１〜第４ユニット５０Ｕ１〜Ｕ４の相互接続には、拡張コネクタ６３が用いられる。拡張コネクタ６３は、各ユニットにおいて上下左右４個設けられており、最大４つのユニットと接続可能となっている。カメラコントロールユニット７との接続には、入出力コネクタ６２が用いられる。入出力コネクタ６２は、第１〜第４ユニット５０Ｕ１〜Ｕ４のうち、マスターとしての機能が割り振られるいずれかのユニットのものが用いられる。
【００２８】
図７は、第１〜第４ユニット５０Ｕ１〜Ｕ４（スイッチ部５１、液晶パネル部５２、ボリューム部５３）の制御ブロック図であって、ここでは、接続・連系に関する共通する機能の制御に着目して示している。
【００２９】
リモートコントロールユニット５０は、ＣＰＵ６１、と入出力コネクタ６２と、拡張コネクタ６３とを備える。ＣＰＵ６１は、マスター機判定処理部６４と、入出力データ制御処理部６５と、送受信ユニット判定処理部６６と、制御器処理部６７とを備える。
【００３０】
マスター機判定処理部６４は、入出力コネクタ６２に制御ケーブル９が接続されているかを判別する。同様に拡張コネクタ６３の接続有無を、送受信ユニット判定処理部６６が判別する。
【００３１】
制御器処理部６７は、各操作部の機能（スイッチ部５１、液晶パネル部５２、ボリューム部５３のそれぞれの機能）の処理を行う。
【００３２】
入出力データ制御処理部６５は、入出力コネクタ６２、拡張コネクタ６３および制御器処理部６７の制御データを判別し、入出力データの受け渡しを行う。各操作部（第１〜第４ユニット５０Ｕ１〜Ｕ４）の組み合わせにより、入出力データが各操作部間を回り続けてしまう可能性がある。これを解決するため、各操作部（ユニット）ごとに制御ナンバーを設定し管理する。
【００３３】
図８は、制御ナンバーの設定及び管理処理を説明する図である。図８（ａ）は、各操作部（第１〜第４ユニット５０Ｕ１〜Ｕ４）を組み合わせた初期状態を示す。図８（ｂ）は、第１ユニット５０Ｕ１が、入出力コネクタ６２の接続状態を判別し、マスター（０）と確定した状態を示す。なお、図中の括弧内は、制御ナンバーを示す。また、入出力コネクタ６２及び拡張コネクタ６３の符号は、煩雑になることを避けるため、図８（ａ）にのみ付している。
【００３４】
図８（ｃ）は、第１ユニット５０Ｕ１（マスター（０））から、接続されている拡張コネクタ６３のユニット先（第２ユニット５０Ｕ２及び第３ユニット５０Ｕ３）に、制御ナンバー（１）を送信することを示す。図８（ｄ）は、第２ユニット５０Ｕ２（１）と第３ユニット５０Ｕ３（１）から、接続されている拡張コネクタ６３のユニット先（但し、制御ナンバーが自身より小さいと確定しているもの（この場合、マスター（０））以外）に制御ナンバー（２）を送信することを示す。
【００３５】
図８（ｅ）は、第４ユニット５０Ｕ４の制御ナンバーが（２）に確定（拡張コネクタ６３で接続されている、第２ユニット５０Ｕ２、第３ユニット５０Ｕ３ともに制御ナンバーが（１）で、第４ユニット５０Ｕ４の制御ナンバー（２）と不一致がないため）し、全てのユニットの制御ナンバーが確定したことを示す。すなわち、図示のように、第１ユニット５０Ｕ１（０）、第２ユニット５０Ｕ２（１）、第３ユニット５０Ｕ３（１）、第４ユニット５０Ｕ４（２））となる。なお、この制御ナンバー設定処理は、電源起動時に一度行うものとする。
【００３６】
図９は、制御ナンバーの設定及び管理処理を説明する図であって、ユニット間で電源起動時に差がある（ここでは、第３ユニット５０Ｕ３の電源起動が遅い）場合の制御ナンバー設定処理を示すものである。また、入出力コネクタ６２及び拡張コネクタ６３の符号は、煩雑になることを避けるため、図９（ａ）にのみ付している。
【００３７】
図９（ａ）は、各操作部（第１〜第４ユニット５０Ｕ１〜Ｕ４）を組み合わせた初期状態を示す。図９（ｂ）は、第１ユニット５０Ｕ１が、入出力コネクタ６２の接続を判別し、マスター（０）と確定する。図９（ｃ）は、第１ユニット５０Ｕ１（マスター（０））から、接続されている拡張コネクタ６３のユニット先（第２ユニット５０Ｕ２と第３ユニット５０Ｕ３）で、送信可能な第２ユニット５０Ｕ２のみ制御ナンバー（１）を送信することを示す。
【００３８】
図９（ｄ）は、第２ユニット５０Ｕ２（１）から、接続されている拡張コネクタ６３のユニット先（但し、制御ナンバーが自身より小さいと確定しているもの（この場合、マスター（０））以外）に制御ナンバー（２）を送信することを示す。ここでは、第４ユニット５０Ｕ４（２）となる。図９（ｅ）は、第３ユニット５０Ｕ３の電源が入り、第４ユニット５０Ｕ４（１）から、接続されている拡張コネクタ６３のユニット先（但し、制御ナンバーが自身より小さいと確定しているもの（第２ユニット５０Ｕ２（１）））以外）に制御ナンバー（３）を送信することを示す。ここでは、第３ユニット５０Ｕ３（３）となる。
【００３９】
図９（ｆ）は、第３ユニット５０Ｕ３（３）から、接続されている拡張コネクタ６３のユニット先（但し、制御ナンバーが自身より小さいと確定しているもの（第４ユニット５０Ｕ４（２））以外）に制御ナンバー（４）を送信することを示す。第１ユニット５０Ｕ１（４）となる。図９（ｇ）は、マスター（０）から、送信可能になった第３ユニット５０Ｕ３に制御ナンバー（１）を送信することを示す。図９（ｈ）は、第３ユニット５０Ｕ３の各拡張コネクタ６３先（第１ユニット５０Ｕ１と第４ユニット５０Ｕ４）から受信した制御ナンバーが異なっているので、第３ユニット５０Ｕ３は、受信した制御ナンバーの小さいもの（今回の場合、制御ナンバー（１））に確定し、制御ナンバー（３）を送信した第４ユニット５０Ｕ４に対し、制御ナンバー（２）を送信することを示す。
【００４０】
図９（ｉ）は、第４ユニット５０Ｕ４の制御ナンバーが（２）に確定（拡張コネクタ６３で接続されている、第２ユニット５０Ｕ２、第３ユニット５０Ｕ３ともに制御ナンバーが（１）で、第４ユニット５０Ｕ４の制御ナンバー（２）と不一致がないため）し、全てのユニットの制御ナンバーが確定したことを示す。ここで、第１ユニット５０Ｕ１（０）、第２ユニット５０Ｕ２（１）、第３ユニット５０Ｕ３（１）、第４ユニット５０Ｕ４（２）となる。
【００４１】
以上のように、組み合わせた操作部（第１〜第４ユニット５０Ｕ１〜Ｕ４）の制御ナンバー決定後、各操作部で制御したデータは、制御ナンバーの小さい操作部に送信し、最終的には、マスター（０）のユニットの入出力コネクタ６２から、カメラコントロールユニット７に送信される。
【００４２】
例えば、図８（ｄ）の第４ユニット５０Ｕ４のスイッチを押下した場合、第４ユニット５０Ｕ４→第２ユニット５０Ｕ２→第１ユニット５０Ｕ１（マスター）または、第４ユニット５０Ｕ４→第３ユニット５０Ｕ３→第１ユニット５０Ｕ１（マスター）の経路を辿り、入出力コネクタ６２からデータが出力される。この例のように複数経路に分かれる場合は、各操作部の拡張コネクタ６３に優先順位を決め、一経路を辿るようにする。
【００４３】
逆に、入出力コネクタ６２から入力されたデータは、どの操作部に影響するデータか分からないため、制御ナンバーの大きい値の操作部に送信し、全ての操作部にデータが行き渡るようにする。
【００４４】
例えば、図８（ｄ）の第１ユニット５０Ｕ１（マスター）の入出力コネクタ６２から入力されたデータは、第１ユニット５０Ｕ１（マスター）→第２ユニット５０Ｕ２→第４ユニット５０Ｕ４および、第１ユニット５０Ｕ１（マスター）→第３ユニット５０Ｕ３→第４ユニット５０Ｕ４の経路を辿り、全ての操作部にデータを行き渡らせる。
【００４５】
このように、各操作部（ユニット）ごとに制御ナンバーを設定し管理することにより、入出力データが各操作部（ユニット）間を回り続けてしまうことはなく、正常に制御することが可能となる。
【００４６】
なお、上記では、４ユニット（第１〜第４ユニット５０Ｕ１〜Ｕ４）の組み合わせを説明したが、拡張コネクタ６３は、各操作部（ユニット）で、最大4個（上下左右）接続可能であるため、無限に組み合わせることができる。
【００４７】
以上、本実施形態では、テレビカメラ装置１０のリモートコントロールユニット５０を、各操作部（スイッチ部５１、液晶パネル部５２、ボリューム部５３など）に分離可能に構成し、分離させた各操作部の四方（上下左右）を拡張コネクタ６３で接続（組み合わせ）可能となっている。また、カメラコントロールユニット７などと制御データを送受信する入出力コネクタ６２も、各ユニットの四方（上下左右）に接続可能となっている。この拡張コネクタ６３および入出力コネクタ６２を用いて、各操作部を組み合わせることにより、テレビカメラ装置１０の運用に合わせたリモートコントロールユニット５０の形態にすることができる。こうすることにより、通常のテレビカメラ装置１０のリモートコントロールユニット５０に、フォーカスを操作する操作部（ボリューム）を接続することができ、接続インターフェースも、別途用意する必要がなくなる。また、引き出した引き出し９８の手前に、使用頻度の高い機能の操作部を入れ替えることも可能となる。
【００４８】
＜第２の実施形態＞
本実施形態では、テレビカメラ装置の機能を調整する液晶パネル付きのリモートコントロールユニットに関して説明する。上述の様に、テレビ制作において、調整室（ＶＥ側）に設置されているリモートコントロールユニットによりテレビカメラを遠隔制御し、撮影スタジオ（カメラマン側）で撮影している映像信号（例えば「色」）を調整し番組を制作する。一般に、テレビカメラの映像信号を調整するにあたり、作業者（ＶＥ）は、リモートコントロールユニットの液晶パネルにて階層化された調整メニューを順番に一つ一つ表示し、該当する調整メニューと調整項目を探し出して調整する。
【００４９】
図１１は、一般的に行われている、リモートコントロールユニットの調整メニューおよび調整項目による映像信号の調整の運用形態の表示例を示している。
【００５０】
リモートコントロールユニット３５０の調整メニュー表示ボタン（例：ＡＤＪＵＳＴ−１）３５１を押下し、液晶パネル３５２に「ＡＤＪＵＳＴ−１」メニュー３５４を表示する。「ＡＤＪＵＳＴ−１」メニュー３５４で調整メニュー"ＢＬＡＣＫ"３５５を選択すると、下部に、調整項目３５６（"ＢＬＡＣＫ  Ｒ","ＢＬＡＣＫ  Ｇ","ＢＬＡＣＫ  Ｂ"）を表示し、ロータリーエンコーダー３５３で各調整項目の設定値を変更する。
【００５１】
ところで、テレビカメラの機能の増加に伴い、リモートコントロールユニットの調整メニュー構造が複雑となり、調整したい調整項目を素早く見つけ出すためには階層構造化されたメニューをたどり、メニューの位置を覚える必要がある。
【００５２】
そこで、以下では、調整メニューおよび調整項目を検索する機能を備えるリモートコントロールユニットに関して説明する。具体的には、テレビカメラの機能の組み合わせによる調整項目を絞り込む検索メニューを用意する。リモートコントロールユニットのメニューでテレビカメラ機能を調整する項目の位置を覚える必要なく、調整したい項目を容易に見つけ出し、メニューの操作性を向上させることができる。
【００５３】
図１２は、本実施形態に係るテレビカメラ運用形態の一つの例を示す図である。第１の実施形態と同様に、撮影スタジオ（カメラマン側）２０１にカメラマンが撮影するテレビカメラ装置２１０がある。テレビカメラ装置２１０は、レンズ２０２と、テレビカメラ２０４と、ビューファインダー２０３とにより構成されている。
【００５４】
テレビカメラ２０４で撮影された映像は、光ケーブル２０５により、調整室２０６（ＶＥ側）にあるカメラコントロールユニット２０７に伝送され、モニター２０８に出力される。また、テレビカメラ２０４やカメラコントロールユニット２０７の映像は、制御ケーブル２０９に接続されたリモートコントロールユニット２５０で、テレビカメラ機能（例えば「色」）の調整や設定などを行う。
【００５５】
図１３は、リモートコントロールユニット２５０の調整メニューおよび調整項目による映像信号の調整の運用形態の表示例を示している。なお、これらの機能は、構成的には、例えば第１の実施形態において、ＣＰＵ６１およびそこで実行されるプログラムで実現されている制御器処理部６７と同様の構成によって実現される。
【００５６】
作業者は、リモートコントロールユニット２５０の操作パネルで検索メニュー表示ボタンの"ＳＥＡＲＣＨ"ボタン２５１を押下し、液晶パネル２５２でテレビカメラ２０４の機能の調整項目を検索するトップメニュー２５４の"ＳＥＡＲＣＨ  ＭＥＮＵ"を表示する。
【００５７】
トップメニュー２５４の"ＳＥＡＲＣＨ  ＭＥＮＵ"では、テレビカメラ２０４の調整項目に関する検索キーワード２５５が一覧表示されており、検索キーワード２５５を組み合わせることにより、関連するメニューの調整項目を絞り込むことができる。
【００５８】
"ＳＥＡＲＣＨ  ＭＥＮＵ"で表示している検索キーワード２５５に検索したいキーワードが無い場合、作業者は次のページのキーワード一覧を表示するための次頁ボタン２５７、または、前ページのキーワード一覧を表示するための前頁ボタン２５８を使用して検索キーワード２５５の表示ページを切り替えることができる。
【００５９】
検索結果として調整項目２５６が"ＳＥＡＲＣＨ  ＭＥＮＵ"の下側に表示される。検索結果が所定数（ここでは４個）以上あった場合、作業者は次ページの調整項目を表示するための次頁調整項目ボタン２６０、又は、前ページの調整項目を表示するための前頁調整項目ボタン２５９を使用して検索結果のページを遷移させる。
【００６０】
図１４及び図１５は、トップメニュー２５４の"ＳＥＡＲＣＨ  ＭＥＮＵ"での調整項目を検索する具体例を示している。
【００６１】
図１４は、"ＧＡＭＭＡ  Ｂ"という項目を検索する場合について例示している。作業者は、検索キーワード２５５として、"ＧＡＭＭＡ"と"Ｂ"を選択する。それによって、"ＳＥＡＲＣＨ  ＭＥＮＵ"の下側に、"ＧＡＭＭＡ"と"Ｂ"に関連する調整項目２５６、"ＧＡＭＭＡ  Ｂ"と"ＢＬＡＣＫ  ＧＡＭＭＡ  Ｂ"が表示される。表示されている"ＧＡＭＭＡ  Ｂ"は"ＳＥＡＲＣＨ  ＭＥＮＵ"でダイレクトに設定を調整可能である。ここでは、検索結果が２件なので、ページ番号表示領域２６１に"１／１"と表示される。
【００６２】
図１５は、"Ｂ"というキーワードを使用して"ＧＡＭＭＡ  Ｂ"を検索する場合について例示している。検索キーワード２５５として、"Ｂ"が選択される。それによって、"ＳＥＡＲＣＨ  ＭＥＮＵ"の下側に"Ｂ"に関連する調整項目２５６（例："ＢＬＡＣＫ  Ｂ","ＧＡＭＭＡ  Ｂ", "ＦＬＡＲＥ  Ｂ", "ＫＮＥＥ  ＰＯＩＮＴ  Ｂ","Ｈ  ＳＡＷ  Ｂ","Ｈ  ＰＡＲＡ  Ｂ","Ｖ  ＳＡＷ  Ｂ","Ｖ  ＰＡＲＡ  Ｂ"）が表示される。ここでは、８件を見つかったため、調整項目２５６が２ページに分けて表示される。
【００６３】
なお、作業者が、図１５（ａ）の様にページ番号（１／２）に調整項目、"ＢＬＡＣＫ  Ｂ","ＧＡＭＭＡ  Ｂ","ＦＬＡＲＥ  Ｂ","ＫＮＥＥ  ＰＯＩＮＴ  Ｂ"を表示し、次頁調整項目ボタン２６０を押下すると、図１５（ｂ）の様にページ番号（２／２）の調整項目、"Ｈ  ＳＡＷ  Ｂ","Ｈ  ＰＡＲＡ  Ｂ","Ｖ  ＳＡＷ  Ｂ","Ｖ  ＰＡＲＡ  Ｂ"が表示される。
【００６４】
また、"Ｈ  ＳＡＷ  Ｂ","Ｈ  ＰＡＲＡ  Ｂ","Ｖ  ＳＡＷ  Ｂ","Ｖ  ＰＡＲＡ  Ｂ"の表示中に、前頁調整項目ボタン２５９が押下されると、前のページの調整項目、"ＢＬＡＣＫ  Ｂ","ＧＡＭＭＡ  Ｂ","ＦＬＡＲＥ  Ｂ","ＫＮＥＥ  ＰＯＩＮＴ  Ｂ"が表示される。
【００６５】
以上、本実施形態によると、テレビカメラ装置２１０の機能の組み合わせによる調整項目を絞り込む検索メニューを用意することができるため、リモートコントロールユニット２５０のメニューでテレビカメラ機能を調整する項目の位置を覚える必要なく、調整したい項目を容易に見つけ出すことができ、その結果、メニューの操作性を向上させることができる。
【００６６】
以上、本発明を実施形態をもとに説明した。この実施形態は例示であり、それらの各構成要素の組み合わせにいろいろな変形例が可能なこと、またそうした変形例も本発明の範囲にあることは当業者に理解されるところである。
【符号の説明】
【００６７】
１、２０１  撮影スタジオ
２、２０２  レンズ
３、２０３  ビューファインダー
４、２０４  テレビカメラ
５、２０５  光ケーブル
６、２０６  調整室
７、２０７  カメラコントロールユニット
８、２０８  モニター
９、２０９  制御ケーブル
１０、２１０  テレビカメラ装置
５０、２５０  リモートコントロールユニット
５０Ｕ１  第１ユニット
５０Ｕ２  第２ユニット
５０Ｕ３  第３ユニット
５０Ｕ４  第４ユニット
５１、５１ａ、５１ｂ  スイッチ部（操作部）
５２  液晶パネル部（操作部）
５３、５３ａ、５３ｂ  ボリューム部（操作部）
６１  ＣＰＵ
６２  入出力コネクタ
６３  拡張コネクタ
６４  マスター機判定処理部
６５  入出力データ制御処理部
６６  送受信ユニット判定処理部
６７  制御器処理部
９８  引き出し
９９  引き出しラック
２５１  "ＳＥＡＲＣＨ"ボタン
２５２  液晶パネル
２５４  トップメニュー
２５５  検索キーワード
２５６  調整項目
２５７  次頁ボタン
２５８  前頁ボタン
２５９  前頁調整項目ボタン
２６０  次頁調整項目ボタン
２６１  ページ番号表示領域
【図１】
0006608315.tif 000002
【図２】
0006608315.tif 000003
【図３】
0006608315.tif 000004
【図４】
0006608315.tif 000005
【図５】
0006608315.tif 000006
【図６】
0006608315.tif 000007
【図７】
0006608315.tif 000008
【図８】
0006608315.tif 000009
【図９】
0006608315.tif 000010
【図１０】
0006608315.tif 000011
【図１１】
0006608315.tif 000012
【図１２】
0006608315.tif 000013
【図１３】
0006608315.tif 000014
【図１４】
0006608315.tif 000015
【図１５】
0006608315.tif 000016